(57)【要約】【課題】加熱時間を短縮して消費電力を減らし、中鍋をガスコンロ又は電磁調理器上で直接加熱することもできる多層底の分離式炊飯器の中鍋構造を提供する。【解決手段】多層底の分離式炊飯器の中鍋構造は、外鍋３、中鍋２及び鍋蓋３０を備える。中鍋２は、外鍋３内に着脱自在に設置され、上方に鍋蓋３０が配設される。中鍋２底部には、熱伝導シート及び電磁プレートが結合される。熱伝導シートは、中鍋２の鍋体底板と電磁プレートとの間に形成される。中鍋２の鍋体と、熱伝導シートと、電磁プレートとは、高圧プレス、摩擦溶接又は高周波の方式により互いに結合される。中鍋２は、炊飯器の熱伝導に応用するか、ガスコンロ又は電磁調理器により直接加熱される。【選択図】図６
0003201554.tif 000002
【実用新案登録請求の範囲】
【請求項１】
外鍋、中鍋及び鍋蓋を備えた、多層底の分離式炊飯器の中鍋構造であって、
前記中鍋は、前記外鍋内に着脱自在に設置され、上方に前記鍋蓋が配設され、
前記中鍋底部には、熱伝導シート及び電磁プレートが結合され、
前記熱伝導シートは、前記中鍋の鍋体底板と前記電磁プレートとの間に形成され、
前記中鍋の前記鍋体と、前記熱伝導シートと、前記電磁プレートとは、高圧プレス、摩擦溶接又は高周波の方式により互いに結合されることを特徴とする多層底の分離式炊飯器の中鍋構造。
【請求項２】
前記中鍋は、炊飯器の熱伝導に応用するか、ガスコンロ又は電磁調理器により直接加熱されることを特徴とする請求項１に記載の多層底の分離式炊飯器の中鍋構造。
【請求項３】
外鍋、中鍋及び鍋蓋を備えた、多層底の分離式炊飯器の中鍋構造であって、
前記中鍋は、前記外鍋内に着脱自在に設置され、上方に前記鍋蓋が配設され、
前記中鍋底部には、熱伝導シートが結合され、
前記中鍋体と前記熱伝導シートとは、高圧プレス、摩擦溶接又は高周波の方式により互いに結合され、
炊飯器の熱伝導に応用するか、ガスコンロにより加熱されることを特徴とする多層底の分離式炊飯器の中鍋構造。
【考案の詳細な説明】
【技術分野】
【０００１】
本考案は、多層底の分離式炊飯器の中鍋構造に関し、特に、中鍋鍋底に少なくとも１層の熱伝導層が結合され、１層以上の中鍋底部を含む、多層底の分離式炊飯器の中鍋構造に関する。
【背景技術】
【０００２】
図１を参照する。図１は、従来の炊飯器を示す斜視図である。図１に示すように、従来の炊飯器は、外鍋１１、中鍋１２及び鍋蓋１３を含む。
【０００３】
大部分の炊飯器１は、加熱装置（図示せず）が中鍋底部に固設されているため、外鍋１１と中鍋１２とは分離することができない構造になっている。このような従来の構造は、すでに数十年間使用されてきており、炊飯器はご飯を炊くことか食べ物を煮ることしかできず、中鍋１２を取り出すことはできず、洗浄することは容易でなかった。
【０００４】
従来、外鍋１１と中鍋１２とを分離することができる炊飯器１も市販されていた。図２に示すように、中鍋１２を分離すると容易に洗浄することができるが、中鍋１２がステンレスからなるため、熱伝導性が好ましくなかった。そのため、ご飯その他の食べ物を煮るためには、長い時間加熱しなければならず消費電力が多くかかった。
【０００５】
特に、ステンレス製中鍋１２の厚さが薄すぎるため（一般に約０．５ｍｍである）、容易に洗浄するために、中鍋１２を取り出した場合、洗浄する際に不注意から他の物に当てたり落としたりしてしまうと、中鍋１２が変形又は凹んで鍋底が平らでなくなり、中鍋１２を外鍋１１内へ設置して使用すると、熱伝導効果が悪くなり、電力が無駄に消費される上、熱伝導も不均一となるため完全な調理を行うことが困難となり、理想的ではなかった。
【考案の概要】
【考案が解決しようとする課題】
【０００６】
本考案の主な目的は、炊飯器の外鍋と中鍋とを分離し、中鍋底部に熱伝導シートを結合し、電磁層を多層に形成するため、ガスコンロ及び電磁調理器に適用することができ、その底部に熱伝導シート（アルミニウムシート）が結合され、電磁調理器に用いる場合、さらに１層の電磁プレート（例えば、ＳＵＳ４３０ステンレス鋼板）を覆い、それを結合して多層式の中鍋鍋底を形成し、熱伝導シートにより熱伝導性を高める上、多層式底板が変形しにくいため、底部を平らに保持し、炊飯器の外鍋に置くと、外鍋底部に安定的に貼り合わされるため、加熱が大幅に均一化され、熱伝導シートにより熱伝導率を高めて調理時間を短縮し、電気エネルギを節減することができる上、中鍋を外鍋と分離することができるため、中鍋を取り出して洗浄することが容易となって便利で実用的であり、特に、中鍋を直接取り出してガスコンロ上で加熱するか、電磁調理器により加熱する際、使用が容易で耐衝撃性が高い、多層底の分離式炊飯器の中鍋構造を提供することにある。
【図面の簡単な説明】
【０００７】
【図１】従来の炊飯器を示す斜視図である。
【図２】従来の炊飯器を示す分解斜視図である。
【図３】本考案の一実施形態に係る中鍋を示す分解斜視図である。
【図４】本考案の一実施形態に係る中鍋を示す断面斜視図である。
【図５】本考案の一実施形態に係る中鍋の底部を示す部分断面図である。
【図６】本考案の一実施形態に係る中鍋を炊飯器に用いるときの状態を示す斜視図である。
【図７】本考案の一実施形態に係る中鍋をガスコンロに用いるときの状態を示す斜視図である。
【図８】本考案の一実施形態に係る中鍋を電磁調理器に用いるときの状態を示す斜視図である。
【図９】本考案の他の実施形態に係る中鍋を示す分解斜視図である。
【考案を実施するための形態】
【０００８】
まず、図３を参照する。図３は、本考案の一実施形態に係る多層底の分離式炊飯器の中鍋構造の中鍋を示す分解斜視図である。図３に示すように、本考案の一実施形態に係る多層底の分離式炊飯器の中鍋構造の中鍋２は、ステンレス材料からなる鍋体２１と、熱伝導シート２２及び電磁プレート２３とから構成される。鍋体２１は、従来技術の鍋体であり、熱伝導シート２２は、アルミニウム材料からなることが好ましく、電磁プレート２３は、ＳＵＳ４３０ステンレス鋼板からなることが好ましい。
【０００９】
鍋体２１、熱伝導シート２２、電磁プレート２３は、高圧プレス方式又は摩擦溶接方式により結合されて一体成形されるが、勿論、従来の高周波結合方式により多層底の中鍋２を一体成形してもよい。
【００１０】
図４を参照する。図４は、本考案の一実施形態に係る中鍋を示す断面斜視図である。図４に示すように、中鍋２の鍋体２１の底板２１０には、熱伝導シート２２及び電磁プレート２３が結合される。図５を参照する。図５は、本考案の一実施形態に係る中鍋の底部を示す部分断面図である。図５に示すように、高圧プレス、摩擦溶接、高周波など何れかの方式により、鍋体２１、熱伝導シート２２、電磁プレート２３を一体成形し、多層式の中鍋底部を形成し、中鍋底部を厚くし、安定性を高めて変形しにくくし、耐衝撃性を高めてもよい。
【００１１】
図６を参照する。図６は、本考案の一実施形態に係る中鍋を炊飯器に用いるときの状態を示す斜視図である。図６に示すように、実際に使用する際、中鍋２を炊飯器の外鍋３内に設置した後、漱ぎ終わった米が入っている内鍋３１を中鍋２内に設置してから鍋蓋３０を閉め、スイッチ３２を押圧して炊飯器の電源をオンして加熱し、中鍋２の底部が熱伝導シート２２により覆われるため（図３を参照する）、熱伝導速度を高めて炊飯時間が短縮され、消費電力を節約することができる。特に、中鍋２の底部には多層底が形成され、底部が厚めであるため変形しにくく、外鍋３の底部に強固に貼り合わせることができるため、熱伝導を均一にすることができる。
【００１２】
続いて、図７を参照する。図７は、本考案の一実施形態に係る中鍋をガスコンロに用いるときの状態を示す斜視図である。図７に示すように、本考案の一実施形態に係る多層底の分離式炊飯器の中鍋構造の中鍋２は、分離式であるため、容易に取り出して洗浄することができ、直接、ガスコンロ４上へ置いて加熱することもでき、一般の鍋と同様に、熱伝導シート２２（図示せず）により熱伝導を高めることができる上、加熱時間を短縮してガスを節約することができ、鍋底が多層構造であるため変形しにくく、炊飯器の外鍋３へ設置して使用する際、中鍋２と外鍋３との密着性を保持することができるため、炊飯器の使用に悪影響を及ぼすことがない。
【００１３】
図８を参照する。図８は、本考案の一実施形態に係る中鍋を電磁調理器に用いるときの状態を示す斜視図である。図８に示すように、本考案の一実施形態に係る多層底の分離式炊飯器の中鍋構造の中鍋２の底部には、電磁プレート（例えば、ＳＵＳ４３０ステンレス鋼板）が結合され、電磁プレートを電磁調理器５上へ置いてから導通して加熱し、熱伝導シート２２（図示せず）を利用して熱伝導を加速させるため、食べ物の調理時間を短縮して消費電力を減らし、炊飯器の中鍋を使用する付加価値を高めることができるため、従来の炊飯器の中鍋より多機能で使用寿命が長い。
【００１４】
本考案を電磁調理器に使用しないときの状態を図９に示す。図９は、本考案の他の実施形態に係る中鍋を示す分解斜視図である。図９に示すように、中鍋２の鍋体２１の下端には、熱伝導シート２２のみが結合され、鍋体２１の底部は、同様に１層以上の厚さに形成され、鍋体の強度が増して変形しにくい上、熱伝導シート２２の加熱を加速し、消費電力を節約することができ、ガスコンロ上での加熱にも応用することができる。
【００１５】
上述したことから分かるように、本考案の多層底の分離式炊飯器の中鍋構造は、分離式構造であるため、炊飯器の中鍋を取り出して洗浄することができ、中鍋底部に熱伝導シート及び電磁プレートを速やかに接続することができるため、加熱時間を短縮して消費電力を減らし、中鍋をガスコンロ又は電磁調理器上で直接加熱することもできる。
【符号の説明】
【００１６】
１    炊飯器
２    中鍋
３    外鍋
４    ガスコンロ
５    電磁調理器
１１  外鍋
１２  中鍋
１３  鍋蓋
２１  鍋体
２２  熱伝導シート
２３  電磁プレート
３０  鍋蓋
３１  内鍋
３２  スイッチ
２１０  底板
【図１】
0003201554.tif 000003
【図２】
0003201554.tif 000004
【図３】
0003201554.tif 000005
【図４】
0003201554.tif 000006
【図５】
0003201554.tif 000007
【図６】
0003201554.tif 000008
【図７】
0003201554.tif 000009
【図８】
0003201554.tif 000010
【図９】
0003201554.tif 000011